(57)【要約】【課題】階段昇降時の災害を十分に抑制することができる階段昇降体験装置およびその使用方法を提供する。【解決手段】階段昇降体験装置は、基台部と、基台部に対して段差を有して階段状に取り付けられる複数の踏板部とを備える。複数の踏板部の少なくとも一部には、基台部に対して交換可能に取り付けられる踏板ユニットが有する踏板部が含まれる。階段昇降体験装置は、踏板部の踏板状態が異なる交換用踏板ユニットを備える。【選択図】図１
2018188847.tif 000002
【特許請求の範囲】
【請求項１】
基台部と、
前記基台部に対して段差を有して階段状に取り付けられる複数の踏板部とを備え、
前記複数の踏板部の少なくとも一部には、前記基台部に対して交換可能に取り付けられる踏板ユニットが有する踏板部が含まれ、
前記踏板部の踏板状態が異なる交換用踏板ユニットを備える
階段昇降体験装置。
【請求項２】
前記踏板部の一部が交換可能に構成されており、
前記踏板部の残りは、交換できないように構成されている、
請求項１に記載の階段昇降体験装置。
【請求項３】
前記基台部は、
昇降開始部と昇降中間部と昇降終了部とを有する階段部を備え、
前記昇降開始部および前記昇降中間部に取り付けられる踏板部は、交換できないように構成されており、
前記昇降終了部に取り付けられる踏板部は、交換可能に構成されている、
請求項２に記載の階段昇降体験装置。
【請求項４】
複数の交換可能に構成されている踏板部を備える、
請求項２に記載の階段昇降体験装置。
【請求項５】
側板部をさらに備え、
前記側板部の上端部は、非直線形状の輪郭を有する、
請求項１から請求項４のいずれか一項に記載の階段昇降体験装置。
【請求項６】
請求項１から請求項５のいずれか一項に記載の階段昇降体験装置の使用方法であって、
交換可能に構成されている踏板部を交換することによって、交換の前後で踏面の高さを変更する、
階段昇降体験装置の使用方法。
【請求項７】
請求項１から請求項６のいずれか一項に記載の階段昇降体験装置の使用方法であって、
交換可能に構成されている踏板部を交換することによって、交換の前後で踏面の傾斜を変更する、
階段昇降体験装置の使用方法。
【発明の詳細な説明】
【技術分野】
【０００１】
本発明の実施形態は、階段昇降体験装置およびその使用方法に関する。
【背景技術】
【０００２】
従来、踏面の長さ、蹴上げの高さを可変とした階段装置が知られている（例えば、特許文献１等参照）。特許文献１の階段装置は、隣接する踏板の水平方向の間隔（踏面の長さ）および／または鉛直方向の間隔（蹴上げの高さ）を増減する。
【先行技術文献】
【特許文献】
【０００３】
【特許文献１】特開平１０−２７３９５６号公報
【発明の概要】
【発明が解決しようとする課題】
【０００４】
ところが、特許文献１の階段装置では、隣接する踏板の水平方向の間隔（踏面の長さ）および／または鉛直方向の間隔（蹴上げの高さ）を増減するために、踏板スライド手段、踏板送り手段、踏板昇降手段などが設けられている。そのため、特許文献１の階段装置では、装置全体が大型化してしまう。
ところで、階段昇降時に発生する災害には、例えば、階段の使用者が、階段昇降時に、つまずくこと、空足を踏むことなどがある。階段昇降時の災害を抑制するためには、一般に、階段昇降時の注意事項、階段昇降時の災害事例等を確認することが、机上において行われている。一方、それらの確認を机上において行うよりも、階段の使用者に階段を実際に昇降させることによって、つまずきなどを擬似的に体験させる方が、階段昇降時の災害を効果的に抑制できると考えられる。
しかしながら、従来においては、階段の使用者につまずきなどを擬似的に体験させることができる体験装置が存在しなかった。そのため、階段昇降時の災害を十分に抑制することができなかった。
本発明は、斯かる実情に鑑みなされたものであり、本発明の目的は、階段昇降時の災害を十分に抑制することができる階段昇降体験装置およびその使用方法を提供することにある。
【課題を解決するための手段】
【０００５】
本発明の一態様は、基台部と、前記基台部に対して段差を有して階段状に取り付けられる複数の踏板部とを備え、前記複数の踏板部の少なくとも一部には、前記基台部に対して交換可能に取り付けられる踏板ユニットが有する踏板部が含まれ、前記踏板部の踏板状態が異なる交換用踏板ユニットを備える階段昇降体験装置である。
このように構成することで、階段昇降体験装置の使用者は、交換用踏板ユニットにおいてつまずきなどの災害を体験しやすくなる。その結果、階段昇降体験装置の使用者に、つまずきなどの災害を擬似的に体験させることによって、階段昇降時の災害を十分に抑制することができる。
【０００６】
本発明の一態様の階段昇降体験装置において、前記踏板部の一部が交換可能に構成されており、前記踏板部の残りは、交換できないように構成されている。
このように構成することで、すべての踏板部が交換可能に構成される場合よりも、階段昇降体験装置の製造コストを抑制することができる。
【０００７】
本発明の一態様の階段昇降体験装置において、前記基台部は、昇降開始部と昇降中間部と昇降終了部とを有する階段部を備え、前記昇降開始部および前記昇降中間部に取り付けられる踏板部は、交換できないように構成されており、前記昇降終了部に取り付けられる踏板部は、交換可能に構成されている。
このように構成することで、すべての踏板部が交換可能に構成される場合よりも、階段昇降体験装置の製造コストを抑制しつつ、昇降開始部または昇降中間部に取り付けられる踏板部が交換可能に構成されている場合よりも、例えばつまずき、空足を踏むこと、バランスを崩すことなどのような階段昇降時の災害を階段昇降体験装置の使用者に体験させやすくすることができる。
【０００８】
本発明の一態様の階段昇降体験装置において、複数の交換可能に構成されている踏板部を備える。
このように構成することで、１つのみの交換可能に構成されている踏板部が備えられている場合よりも、例えばつまずき、空足を踏むこと、バランスを崩すことなどのような、階段昇降時の災害を階段昇降体験装置の使用者に体験させやすくすることができる。
【０００９】
本発明の一態様の階段昇降体験装置において、側板部をさらに備え、前記側板部の上端部は、非直線形状の輪郭を有する。
このように構成することで、側板部の上端部が直線形状である場合よりも、階段昇降体験装置の使用者が、交換用踏板ユニットの踏板部の踏面が高くなっていたり、傾斜していたりすることに気付いてしまうおそれを抑制することができる。
【００１０】
本発明の一態様は、本発明の一態様の階段昇降体験装置の使用方法であって、交換可能に構成されている踏板部を交換することによって、交換の前後で踏面の高さを変更する、階段昇降体験装置の使用方法である。
【００１１】
本発明の一態様は、本発明の一態様の階段昇降体験装置の使用方法であって、交換可能に構成されている踏板部を交換することによって、交換の前後で踏面の傾斜を変更する、階段昇降体験装置の使用方法である。
【発明の効果】
【００１２】
本発明によれば、階段昇降時の災害を十分に抑制することができる階段昇降体験装置およびその使用方法を提供することができる。
【図面の簡単な説明】
【００１３】
【図１】実施形態の階段昇降体験装置の一例を概略的に示す正面図である。
【図２】図１の左側から見た階段昇降体験装置の概略的な斜視図である。
【図３】基台部を説明するための図である。
【図４】交換できない蹴込板部、踏板部などが基台部に取り付けられた状態を示す図である。
【図５】蹴込板部、踏板部、踊り場踏板部、踏板ユニットなどが基台部に取り付けられた状態を示す図である。
【図６】図５に示す踏板ユニット、交換用踏板ユニットなどの拡大図である。
【図７】図５に示す踏板ユニット、交換用踏板ユニットなどの拡大図である。
【図８】階段昇降体験装置の使用時に行われる処理の一例を説明するフローチャートである。
【発明を実施するための形態】
【００１４】
以下、本発明の実施の形態について添付図面を参照して説明する。
【００１５】
図１は、実施形態の階段昇降体験装置１の一例を概略的に示す正面図である。図２は、図１の左側から見た階段昇降体験装置１の概略的な斜視図である。
図１および図２に示す例では、階段昇降体験装置１が、基台部１１と、蹴込板部１２Ｕ１〜１２Ｕ４と、踏板部１３Ｕ１〜１３Ｕ４と、踏板ユニット１５Ｕ５、１５Ｕ６と、踊り場踏板部１８と、蹴込板部１２Ｄ１〜１２Ｄ４と、踏板部１３Ｄ１〜１３Ｄ４と、踏板ユニット１５Ｄ５、１５Ｄ６と、側板部１９ａと、手すり１９ｂとを備えている。
【００１６】
図３は、基台部１１を説明するための図である。
図３に示す例では、基台部１１が、上り階段部１１Ｕと、踊り場部１１Ｌと、下り階段部１１Ｄとを備えている。上り階段部１１Ｕには、上り開始部１１Ｕ１と、上り中間部１１Ｕ２と、上り終了部１１Ｕ３とが含まれる。下り階段部１１Ｄには、下り開始部１１Ｄ１と、下り中間部１１Ｄ２と、下り終了部１１Ｄ３とが含まれる。
【００１７】
図４は、交換できない蹴込板部１２Ｕ１、踏板部１３Ｕ１などが基台部１１に取り付けられた状態を示す図である。
図４に示す例では、階段昇降体験装置１の製造時に、蹴込板部１２Ｕ１が、基台部１１の上り階段部１１Ｕの上り開始部１１Ｕ１に取り付けられる。次いで、踏板部１３Ｕ１が、基台部１１の上り階段部１１Ｕの上り開始部１１Ｕ１に取り付けられる。踏板部１３Ｕ１の上面は、踏面１３ａＵ１を構成している。
また、蹴込板部１２Ｕ２は、基台部１１の上り階段部１１Ｕの上り開始部１１Ｕ１に取り付けられる。次いで、踏板部１３Ｕ２が、基台部１１の上り階段部１１Ｕの上り開始部１１Ｕ１に取り付けられる。踏板部１３Ｕ２の上面は、踏面１３ａＵ２を構成している。
また、蹴込板部１２Ｕ３は、基台部１１の上り階段部１１Ｕの上り中間部１１Ｕ２に取り付けられる。次いで、踏板部１３Ｕ３が、基台部１１の上り階段部１１Ｕの上り中間部１１Ｕ２に取り付けられる。踏板部１３Ｕ３の上面は、踏面１３ａＵ３を構成している。
また、蹴込板部１２Ｕ４は、基台部１１の上り階段部１１Ｕの上り中間部１１Ｕ２に取り付けられる。次いで、踏板部１３Ｕ４が、基台部１１の上り階段部１１Ｕの上り中間部１１Ｕ２に取り付けられる。踏板部１３Ｕ４の上面は、踏面１３ａＵ４を構成している。
すなわち、踏板部１３Ｕ１〜１３Ｕ４は、基台部１１に対して、段差を有して階段状に取り付けられる。
【００１８】
また、図４に示す例では、階段昇降体験装置１の製造時に、蹴込板部１２Ｄ４が、基台部１１の下り階段部１１Ｄの下り中間部１１Ｄ２に取り付けられる。次いで、踏板部１３Ｄ４が、基台部１１の下り階段部１１Ｄの下り中間部１１Ｄ２に取り付けられる。踏板部１３Ｄ４の上面は、踏面１３ａＤ４を構成している。
また、蹴込板部１２Ｄ３は、基台部１１の下り階段部１１Ｄの下り中間部１１Ｄ２に取り付けられる。次いで、踏板部１３Ｄ３が、基台部１１の下り階段部１１Ｄの下り中間部１１Ｄ２に取り付けられる。踏板部１３Ｄ３の上面は、踏面１３ａＤ３を構成している。
また、蹴込板部１２Ｄ２は、基台部１１の下り階段部１１Ｄの下り開始部１１Ｄ１に取り付けられる。次いで、踏板部１３Ｄ２が、基台部１１の下り階段部１１Ｄの下り開始部１１Ｄ１に取り付けられる。踏板部１３Ｄ２の上面は、踏面１３ａＤ２を構成している。
また、蹴込板部１２Ｄ１は、基台部１１の下り階段部１１Ｄの下り開始部１１Ｄ１に取り付けられる。次いで、踏板部１３Ｄ１が、基台部１１の下り階段部１１Ｄの下り開始部１１Ｄ１に取り付けられる。踏板部１３Ｄ１の上面は、踏面１３ａＤ１を構成している。
すなわち、踏板部１３Ｄ１〜１３Ｄ４は、基台部１１に対して、段差を有して階段状に取り付けられる。
【００１９】
また、図４に示す例では、階段昇降体験装置１の製造時に、踊り場踏板部１８が、基台部１１の踊り場部１１Ｌに取り付けられる。踊り場踏板部１８の上面は、踏面１８ａを構成している。
【００２０】
階段昇降体験装置１の使用時には、踏板ユニット１５Ｕ５（図６参照）が、例えばボルトおよびナットによって、基台部１１の上り階段部１１Ｕの上り終了部１１Ｕ３に取り付けられる。踏板ユニット１５Ｕ５は、交換用踏板ユニット１５Ｕ５Ｘ（図６参照）と交換可能に構成されている。
【００２１】
また、階段昇降体験装置１の使用時には、踏板ユニット１５Ｕ６（図６参照）が、例えばボルトおよびナットによって、基台部１１の上り階段部１１Ｕの上り終了部１１Ｕ３に取り付けられる。踏板ユニット１５Ｕ６は、交換用踏板ユニット１５Ｕ６Ｘ（図６参照）と交換可能に構成されている。
【００２２】
また、階段昇降体験装置１の使用時には、踏板ユニット１５Ｄ５（図７参照）が、例えばボルトおよびナットによって、基台部１１の下り階段部１１Ｄの下り終了部１１Ｄ３に取り付けられる。踏板ユニット１５Ｄ５は、交換用踏板ユニット１５Ｄ５Ｘａ、１５Ｄ５Ｘｂ（図７参照）と交換可能に構成されている。
【００２３】
また、階段昇降体験装置１の使用時には、踏板ユニット１５Ｄ６（図７参照）が、例えばボルトおよびナットによって、基台部１１の下り階段部１１Ｄの下り終了部１１Ｄ３に取り付けられる。踏板ユニット１５Ｄ６は、交換用踏板ユニット１５Ｄ６Ｘ（図７参照）と交換可能に構成されている。
踏面１３ａＵ１〜１３ａＵ４、１３ａＤ１〜１３ａＤ４、１８ａは、ボルト頭部のように見える化粧ボルト頭部を備える。
【００２４】
図５は、蹴込板部１２Ｕ１〜１２Ｕ４、１２Ｄ１〜１２Ｄ４、踏板部１３Ｕ１〜１３Ｕ４、１３Ｄ１〜１３Ｄ４、踊り場踏板部１８、踏板ユニット１５Ｕ５、１５Ｕ６、１５Ｄ５、１５Ｄ６などが基台部１１に取り付けられた状態を示す図である。
図５に示す例では、交換用踏板ユニット１５Ｕ５Ｘ、１５Ｕ６Ｘではなく、踏板ユニット１５Ｕ５、１５Ｕ６が、基台部１１の上り階段部１１Ｕの上り終了部１１Ｕ３に取り付けられた場合に、上り階段部第１〜７蹴上げ高さは等しい値になる。
上り階段部第１蹴上げ高さは、床面と踏面１３ａＵ１との鉛直方向の間隔である。上り階段部第２蹴上げ高さは、踏面１３ａＵ１と踏面１３ａＵ２との鉛直方向の間隔である。上り階段部第３蹴上げ高さは、踏面１３ａＵ２と踏面１３ａＵ３との鉛直方向の間隔である。上り階段部第４蹴上げ高さは、踏面１３ａＵ３と踏面１３ａＵ４との鉛直方向の間隔である。上り階段部第５蹴上げ高さは、踏面１３ａＵ４と踏面１５３ａＵ５との鉛直方向の間隔である。上り階段部第６蹴上げ高さは、踏面１５３ａＵ５と踏面１５３ａＵ６との鉛直方向の間隔である。上り階段部第７蹴上げ高さは、踏面１５３ａＵ６と踏面１８ａとの鉛直方向の間隔である。
また、図５に示す例では、交換用踏板ユニット１５Ｄ５Ｘａ、１５Ｄ５Ｘｂ、１５Ｄ６Ｘではなく、踏板ユニット１５Ｄ５、１５Ｄ６が、基台部１１の下り階段部１１Ｄの下り終了部１１Ｄ３に取り付けられた場合に、下り階段部第１〜７蹴上げ高さは等しい値になる。
下り階段部第１蹴上げ高さは、踏面１８ａと踏面１３ａＤ１との鉛直方向の間隔である。下り階段部第２蹴上げ高さは、踏面１３ａＤ１と踏面１３ａＤ２との鉛直方向の間隔である。下り階段部第３蹴上げ高さは、踏面１３ａＤ２と踏面１３ａＤ３との鉛直方向の間隔である。下り階段部第４蹴上げ高さは、踏面１３ａＤ３と踏面１３ａＤ４との鉛直方向の間隔である。下り階段部第５蹴上げ高さは、踏面１３ａＤ４と踏面１５３ａＤ５との鉛直方向の間隔である。下り階段部第６蹴上げ高さは、踏面１５３ａＤ５と踏面１５３ａＤ６との鉛直方向の間隔である。下り階段部第７蹴上げ高さは、踏面１５３ａＤ６と床面との鉛直方向の間隔である。
【００２５】
図１および図２に示す例では、階段昇降体験装置１の製造時に、手前側（図２の右側）の側板部１９ａと、奥側（図２の左側）の側板部１９ａとが取り付けられる。また、手前側の側板部１９ａには、手前側（図２の右側）の手すり１９ｂが取り付けられ、奥側の側板部１９ａには、奥側（図２の左側）の手すり１９ｂが取り付けられる。
【００２６】
図６は、図５に示す踏板ユニット１５Ｕ５、交換用踏板ユニット１５Ｕ５Ｘなどの拡大図である。図７は、図５に示す踏板ユニット１５Ｄ５、交換用踏板ユニット１５Ｄ５Ｘａ、１５Ｄ５Ｘｂなどの拡大図である。詳細には、図６（Ａ）は踏板ユニット１５Ｕ５の拡大図、図６（Ｂ）は交換用踏板ユニット１５Ｕ５Ｘの拡大図である。図６（Ｃ）は踏板ユニット１５Ｕ６の拡大図、図６（Ｄ）は交換用踏板ユニット１５Ｕ６Ｘの拡大図である。図７（Ａ）は踏板ユニット１５Ｄ５の拡大図、図７（Ｂ）は交換用踏板ユニット１５Ｄ５Ｘａの拡大図、図７（Ｃ）は交換用踏板ユニット１５Ｄ５Ｘｂの拡大図である。図７（Ｄ）は踏板ユニット１５Ｄ６の拡大図、図７（Ｅ）は交換用踏板ユニット１５Ｄ６Ｘの拡大図である。
【００２７】
図６（Ａ）に示す例では、踏板ユニット１５Ｕ５が、蹴込板部１５２Ｕ５と、踏板部１５３Ｕ５とを備えている。踏板部１５３Ｕ５の上面は、踏面１５３ａＵ５を構成している。踏板ユニット１５Ｕ５と基台部１１との当接面と、踏面１５３ａＵ５との間隔は、交換用踏板ユニット１５Ｕ５Ｘと基台部１１との当接面と、交換用踏板ユニット１５Ｕ５Ｘの踏面との間隔よりも小さい。
その結果、図６（Ｂ）に示す例では、踏板ユニット１５Ｕ５の代わりに、交換用踏板ユニット１５Ｕ５Ｘが基台部１１の上り階段部１１Ｕの上り終了部１１Ｕ３に取り付けられた場合における交換用踏板ユニット１５Ｕ５Ｘの踏面の高さは、踏板ユニット１５Ｕ５が基台部１１の上り階段部１１Ｕの上り終了部１１Ｕ３に取り付けられた場合における踏板ユニット１５Ｕ５の踏面１５３ａＵ５の高さよりも高い。つまり、踏板ユニット１５Ｕ５の踏板部１５３Ｕ５の踏板状態と、交換用踏板ユニット１５Ｕ５Ｘの踏板部の踏板状態とは異なる。
従って、階段昇降体験装置１の使用時に、踏板ユニット１５Ｕ５から交換用踏板ユニット１５Ｕ５Ｘへの交換が行われると、上り階段部第５蹴上げ高さ（踏面１３ａＵ４と、踏板ユニット１５Ｕ５の踏面１５３ａＵ５または交換用踏板ユニット１５Ｕ５Ｘの踏面との鉛直方向の間隔）が増加する。
そのため、踏板ユニット１５Ｕ５から交換用踏板ユニット１５Ｕ５Ｘへの交換が行われたことを知らさせていない階段昇降体験装置１の使用者が上り階段部１１Ｕを上る場合に、階段昇降体験装置１の使用者は、交換用踏板ユニット１５Ｕ５Ｘにつまずきやすくなる。その結果、階段昇降体験装置１の使用者は、つまずきを擬似的に体験することができる。
【００２８】
図６（Ｃ）に示す例では、踏板ユニット１５Ｕ６が、蹴込板部１５２Ｕ６と、踏板部１５３Ｕ６とを備えている。踏板部１５３Ｕ６の上面は、踏面１５３ａＵ６を構成している。踏板ユニット１５Ｕ６と基台部１１との当接面と、踏面１５３ａＵ６との間隔は、交換用踏板ユニット１５Ｕ６Ｘと基台部１１との当接面と、交換用踏板ユニット１５Ｕ６Ｘの踏面との間隔よりも小さい。
その結果、図６（Ｄ）に示す例では、踏板ユニット１５Ｕ６の代わりに、交換用踏板ユニット１５Ｕ６Ｘが基台部１１の上り階段部１１Ｕの上り終了部１１Ｕ３に取り付けられた場合における交換用踏板ユニット１５Ｕ６Ｘの踏面の高さは、踏板ユニット１５Ｕ６が基台部１１の上り階段部１１Ｕの上り終了部１１Ｕ３に取り付けられた場合における踏板ユニット１５Ｕ６の踏面１５３ａＵ６の高さよりも高い。つまり、踏板ユニット１５Ｕ６の踏板部１５３Ｕ６の踏板状態と、交換用踏板ユニット１５Ｕ６Ｘの踏板部の踏板状態とは異なる。
従って、階段昇降体験装置１の使用時に、踏板ユニット１５Ｕ６から交換用踏板ユニット１５Ｕ６Ｘへの交換が行われると、上り階段部第７蹴上げ高さ（踏板ユニット１５Ｕ６の踏面１５３ａＵ６または交換用踏板ユニット１５Ｕ６Ｘの踏面と、踏面１８ａとの鉛直方向の間隔）が減少する。
そのため、踏板ユニット１５Ｕ６から交換用踏板ユニット１５Ｕ６Ｘへの交換が行われたことを知らさせていない階段昇降体験装置１の使用者が上り階段部１１Ｕを上る場合に、階段昇降体験装置１の使用者は、踏面１８ａにおいて空足を踏みやすくなる。その結果、階段昇降体験装置１の使用者は、空足を踏むことを擬似的に体験することができる。
【００２９】
図７（Ａ）に示す例では、踏板ユニット１５Ｄ５が、蹴込板部１５２Ｄ５と、踏板部１５３Ｄ５とを備えている。踏板部１５３Ｄ５の上面は、踏面１５３ａＤ５を構成している。踏板ユニット１５Ｄ５と基台部１１との当接面と、踏面１５３ａＤ５との間隔は、交換用踏板ユニット１５Ｄ５Ｘａと基台部１１との当接面と、交換用踏板ユニット１５Ｄ５Ｘの踏面との間隔よりも大きい。
その結果、図７（Ｂ）に示す例では、踏板ユニット１５Ｄ５の代わりに、交換用踏板ユニット１５Ｄ５Ｘａが基台部１１の下り階段部１１Ｄの下り終了部１１Ｄ３に取り付けられた場合における交換用踏板ユニット１５Ｄ５Ｘａの踏面の高さは、踏板ユニット１５Ｄ５が基台部１１の下り階段部１１Ｄの下り終了部１１Ｄ３に取り付けられた場合における踏板ユニット１５Ｄ５の踏面１５３ａＤ５の高さよりも低い。つまり、踏板ユニット１５Ｄ５の踏板部１５３Ｄ５の踏板状態と、交換用踏板ユニット１５Ｄ５Ｘａの踏板部の踏板状態とは異なる。
従って、階段昇降体験装置１の使用時に、踏板ユニット１５Ｄ５から交換用踏板ユニット１５Ｄ５Ｘａへの交換が行われると、下り階段部第５蹴上げ高さ（踏面１３ａＤ４と、踏板ユニット１５Ｄ５の踏面１５３ａＤ５または交換用踏板ユニット１５Ｄ５Ｘａの踏面との鉛直方向の間隔）が増加する。
そのため、踏板ユニット１５Ｄ５から交換用踏板ユニット１５Ｄ５Ｘａへの交換が行われたことを知らさせていない階段昇降体験装置１の使用者が下り階段部１１Ｄを下る場合に、階段昇降体験装置１の使用者は、交換用踏板ユニット１５Ｄ５Ｘａの踏面において空足を踏みやすくなる。その結果、階段昇降体験装置１の使用者は、空足を踏むことを擬似的に体験することができる。
【００３０】
また、図７（Ａ）に示す例では、踏板ユニット１５Ｄ５と基台部１１との当接面と、踏面１５３ａＤ５とが平行であるのに対し、交換用踏板ユニット１５Ｄ５Ｘｂと基台部１１との当接面と、交換用踏板ユニット１５Ｄ５Ｘｂの踏面とは平行ではない。
その結果、図７（Ｃ）に示す例では、踏板ユニット１５Ｄ５の代わりに、交換用踏板ユニット１５Ｄ５Ｘｂが基台部１１の下り階段部１１Ｄの下り終了部１１Ｄ３に取り付けられた場合における交換用踏板ユニット１５Ｄ５Ｘｂの踏面は、踏板ユニット１５Ｄ５が基台部１１の下り階段部１１Ｄの下り終了部１１Ｄ３に取り付けられた場合における踏板ユニット１５Ｄ５の踏面１５３ａＤ５（概略水平面）に対して傾斜している。つまり、踏板ユニット１５Ｄ５の踏板部１５３Ｄ５の踏板状態と、交換用踏板ユニット１５Ｄ５Ｘｂの踏板部の踏板状態とは異なる。
従って、階段昇降体験装置１の使用時に、踏板ユニット１５Ｄ５から交換用踏板ユニット１５Ｄ５Ｘｂへの交換が行われると、階段昇降体験装置１の使用者が下り階段部１１Ｄを下る場合に、階段昇降体験装置１の使用者は、水平面に対して傾斜した交換用踏板ユニット１５Ｄ５Ｘｂの踏面を通過しなければならなくなる。
そのため、踏板ユニット１５Ｄ５から交換用踏板ユニット１５Ｄ５Ｘｂへの交換が行われたことを知らさせていない階段昇降体験装置１の使用者が下り階段部１１Ｄを下る場合に、階段昇降体験装置１の使用者は、交換用踏板ユニット１５Ｄ５Ｘｂの踏面においてバランスを崩しやすくなる。その結果、階段昇降体験装置１の使用者は、バランスを崩して転倒しやすくなることを擬似的に体験することができる。
【００３１】
図７（Ｄ）に示す例では、踏板ユニット１５Ｄ６が、蹴込板部１５２Ｄ６と、踏板部１５３Ｄ６とを備えている。踏板部１５３Ｄ６の上面は、踏面１５３ａＤ６を構成している。踏板ユニット１５Ｄ６と基台部１１との当接面と、踏面１５３ａＤ６との間隔は、交換用踏板ユニット１５Ｄ６Ｘと基台部１１との当接面と、交換用踏板ユニット１５Ｄ６Ｘの踏面との間隔よりも大きい。
その結果、図７（Ｅ）に示す例では、踏板ユニット１５Ｄ６の代わりに、交換用踏板ユニット１５Ｄ６Ｘが基台部１１の下り階段部１１Ｄの下り終了部１１Ｄ３に取り付けられた場合における交換用踏板ユニット１５Ｄ６Ｘの踏面の高さは、踏板ユニット１５Ｄ６が基台部１１の下り階段部１１Ｄの下り終了部１１Ｄ３に取り付けられた場合における踏板ユニット１５Ｄ６の踏面１５３ａＤ６の高さよりも低い。つまり、踏板ユニット１５Ｄ６の踏板部１５３Ｄ６の踏板状態と、交換用踏板ユニット１５Ｄ６Ｘの踏板部の踏板状態とは異なる。
従って、階段昇降体験装置１の使用時に、踏板ユニット１５Ｄ５から交換用踏板ユニット１５Ｄ５Ｘａ、１５Ｄ５Ｘｂへの交換が行われず、踏板ユニット１５Ｄ６から交換用踏板ユニット１５Ｄ６Ｘへの交換が行われると、下り階段部第６蹴上げ高さ（踏板ユニット１５Ｄ５の踏面１５３ａＤ５と、踏板ユニット１５Ｄ６の踏面１５３ａＤ６または交換用踏板ユニット１５Ｄ６Ｘの踏面との鉛直方向の間隔）が増加する。
そのため、踏板ユニット１５Ｄ６から交換用踏板ユニット１５Ｄ６Ｘへの交換が行われたことを知らさせていない階段昇降体験装置１の使用者が下り階段部１１Ｄを下る場合に、階段昇降体験装置１の使用者は、交換用踏板ユニット１５Ｄ６Ｘの踏面において空足を踏みやすくなる。その結果、階段昇降体験装置１の使用者は、空足を踏むことを擬似的に体験することができる。
【００３２】
階段昇降体験装置１の使用者は、階段昇降体験装置１の昇降時につまずき等を擬似的に体験することによって、現実の事例において災害発生に至ったプロセス、発生状況、原因などを当事者の立場に立って考えることができようになる。
また、階段昇降体験装置１の使用者は、階段昇降体験装置１の昇降時につまずき等を擬似的に体験することによって、階段昇降時に潜む危険を察知する能力を向上させることができる。
また、階段昇降体験装置１の使用者は、階段昇降体験装置１の昇降時につまずき等を擬似的に体験することによって、災害へつながる行動を阻止する能力および実行力を養うことができ、安全に対する意識および能力を高めることができる。
【００３３】
図８は、階段昇降体験装置１の使用時に行われる処理の一例を説明するフローチャートである。
図８に示す例では、ステップＳ１において、作業者が、踏板ユニット１５Ｕ５、１５Ｕ６を基台部１１の上り階段部１１Ｕの上り終了部１１Ｕ３に取り付ける。また、作業者は、踏板ユニット１５Ｄ５、１５Ｄ６を基台部１１の下り階段部１１Ｄの下り終了部１１Ｄ３に取り付ける。
次いで、ステップＳ２では、階段昇降体験装置１の使用者が、階段昇降体験装置１の昇降を実施する。つまり、階段昇降体験装置１の使用者は、上り階段部１１Ｕを上り、下り階段部１１Ｄを下る。
次いで、ステップＳ３では、作業者が、踏板ユニット１５Ｕ５、１５Ｕ６、１５Ｄ５、１５Ｄ６から交換用踏板ユニット１５Ｕ５Ｘ、１５Ｕ６Ｘ、１５Ｄ５Ｘａまたは１５Ｄ５Ｘｂ、１５Ｄ６Ｘへの交換を行う。その結果、踏板部の踏面の高さの変更、または、踏板部の踏面の高さおよび傾斜の変更が行われる。この交換が行われる旨は、階段昇降体験装置１の使用者に知らされない。
次いで、ステップＳ４では、階段昇降体験装置１の使用者が、階段昇降体験装置１の昇降を実施する。つまり、階段昇降体験装置１の使用者は、交換用踏板ユニット１５Ｕ５Ｘ、１５Ｕ６Ｘが取り付けられた上り階段部１１Ｕを上り、交換用踏板ユニット１５Ｄ５Ｘａまたは１５Ｄ５Ｘｂ、および、交換用踏板ユニット１５Ｄ６Ｘが取り付けられた下り階段部１１Ｄを下る。
図７に示す例では、ステップＳ１、Ｓ２が実行されるが、他の例では、ステップＳ１、Ｓ２を省略してもよい。
【００３４】
［本実施形態のまとめ］
以上説明したように、本実施形態の階段昇降体験装置１は、基台部１１と、基台部１１に対して段差を有して階段状に取り付けられる複数の踏板部１３Ｕ１〜１３Ｕ４、１５３Ｕ５、１５３Ｕ６、１３Ｄ１〜１３Ｄ４、１５３Ｄ５、１５３Ｄ６とを備える。複数の踏板部の少なくとも一部には、基台部１１に対して交換可能に取り付けられる踏板ユニット１５Ｕ５、１５Ｕ６、１５Ｄ５、１５Ｄ６が有する踏板部１５３Ｕ５、１５３Ｕ６、１５３Ｄ５、１５３Ｄ６が含まれる。階段昇降体験装置１は、踏板部１５３Ｕ５、１５３Ｕ６、１５３Ｄ５、１５３Ｄ６の踏板状態が異なる交換用踏板ユニット１５Ｕ５Ｘ、１５Ｕ６Ｘ、１５Ｄ５Ｘａ、１５Ｄ５Ｘｂ、１５Ｄ６Ｘを備える。
本実施形態の階段昇降体験装置１によれば、踏板部１５３Ｕ５、１５３Ｕ６、１５３Ｄ５、１５３Ｄ６が交換可能に構成されていない場合よりも、例えばつまずき、空足を踏むこと、バランスを崩すことなどのような、階段昇降時の災害を階段昇降体験装置１の使用者に体験させやすくすることができる。その結果、階段昇降体験装置１の使用者が、階段昇降時の災害に現実に遭遇してしまうおそれを抑制することができる。
【００３５】
また、本実施形態の階段昇降体験装置１では、踏板部１３Ｕ１〜１３Ｕ４、１５３Ｕ５、１５３Ｕ６、１３Ｄ１〜１３Ｄ４、１５３Ｄ５、１５３Ｄ６のうちの一部の踏板部１５３Ｕ５、１５３Ｕ６、１５３Ｄ５、１５３Ｄ６が交換可能に構成されており、残りの踏板部１３Ｕ１〜１３Ｕ４、１３Ｄ１〜１３Ｄ４は、交換できないように構成されている。
本実施形態の階段昇降体験装置１によれば、すべての踏板部１３Ｕ１〜１３Ｕ４、１５３Ｕ５、１５３Ｕ６、１３Ｄ１〜１３Ｄ４、１５３Ｄ５、１５３Ｄ６が交換可能に構成される場合よりも、階段昇降体験装置１の製造コストを抑制することができる。
【００３６】
本発明者等は、鋭意研究において、階段の使用者が、上り階段部の上り開始部や、上り中間部よりも、上り終了部において、つまずいたり、空足を踏んだり、バランスを崩したりするおそれが高いことを見い出した。
そこで、本実施形態の階段昇降体験装置１では、基台部１１が、上り開始部１１Ｕ１と上り中間部１１Ｕ２と上り終了部１１Ｕ３とを有する上り階段部１１Ｕを備える。上り開始部１１Ｕ１および上り中間部１１Ｕ２に取り付けられる踏板部１３Ｕ１〜１３Ｕ４は、交換できないように構成されている。上り終了部１１Ｕ３に取り付けられる踏板部１５３Ｕ５、１５３Ｕ６は、踏板ユニット１５Ｕ５、１５Ｕ６を交換用踏板ユニット１５Ｕ５Ｘ、１５Ｕ６Ｘに交換することによって、交換可能に構成されている。
本実施形態の階段昇降体験装置１によれば、すべての踏板部１３Ｕ１〜１３Ｕ４、１５３Ｕ５、１５３Ｕ６が交換可能に構成される場合よりも、階段昇降体験装置１の製造コストを抑制しつつ、上り開始部１１Ｕ１または上り中間部１１Ｕ２に取り付けられる踏板部が交換可能に構成されている場合よりも、例えばつまずき、空足を踏むこと、バランスを崩すことなどのような階段昇降時の災害を階段昇降体験装置１の使用者に体験させやすくすることができる。
【００３７】
また、本発明者等は、鋭意研究において、階段の使用者が、下り階段部の下り開始部や、下り中間部よりも、下り終了部において、つまずいたり、空足を踏んだり、バランスを崩したりするおそれが高いことを見い出した。
そこで、本実施形態の階段昇降体験装置１では、基台部１１が、下り開始部１１Ｄ１と下り中間部１１Ｄ２と下り終了部１１Ｄ３とを有する下り階段部１１Ｄを備える。下り開始部１１Ｄ１および下り中間部１１Ｄ２に取り付けられる踏板部１３Ｄ１〜１３Ｄ４は、交換できないように構成されている。下り終了部１１Ｄ３に取り付けられる踏板部１５３Ｄ５、１５３Ｄ６は、踏板ユニット１５Ｄ５、１５Ｄ６を交換用踏板ユニット１５Ｄ５Ｘａ、１５Ｄ５Ｘｂ、１５Ｄ６Ｘに交換することによって、交換可能に構成されている。
本実施形態の階段昇降体験装置１によれば、すべての踏板部１３Ｄ１〜１３Ｄ４、１５３Ｄ５、１５３Ｄ６が交換可能に構成される場合よりも、階段昇降体験装置１の製造コストを抑制しつつ、下り開始部１１Ｄ１または下り中間部１１Ｄ２に取り付けられる踏板部が交換可能に構成されている場合よりも、例えばつまずき、空足を踏むこと、バランスを崩すことなどのような階段昇降時の災害を階段昇降体験装置１の使用者に体験させやすくすることができる。
【００３８】
また、本実施形態の階段昇降体験装置１は、交換可能に構成されている踏板部を１つのみ備えるのではなく、複数の交換可能に構成されている踏板部１５３Ｕ５、１５３Ｕ６、１５３Ｄ５、１５３Ｄ６を備える。
本実施形態の階段昇降体験装置１によれば、１つのみの交換可能に構成されている踏板部が備えられている場合よりも、例えばつまずき、空足を踏むこと、バランスを崩すことなどのような、階段昇降時の災害を階段昇降体験装置１の使用者に体験させやすくすることができる。
【００３９】
また、本実施形態の階段昇降体験装置１では、図１および図２に示すように、側板部１９ａの上端部が例えば波形のような非直線形状の輪郭を有する。
本実施形態の階段昇降体験装置１によれば、側板部１９ａの上端部が直線形状である場合よりも、階段昇降体験装置１の使用者が、交換用踏板ユニット１５Ｕ５Ｘ、１５Ｕ６Ｘ、１５Ｄ５Ｘａ、１５Ｄ５Ｘｂ、１５Ｄ６Ｘの踏板部の踏面が高くなっていたり、低くなっていたり、傾斜していたりすることに気付いてしまうおそれを抑制することができる。
図１および図２に示す例では、側板部１９ａの上端部が波形の輪郭を有するを有するが、他の例では、側板部１９ａの上端部が、例えばジグザグなどのような、波形以外の非直線形状の輪郭を有していてもよい。つまり、他の例における側板部１９ａの上端部は、階段昇降体験装置１の使用者が、交換用踏板ユニット１５Ｕ５Ｘ、１５Ｕ６Ｘ、１５Ｄ５Ｘａ、１５Ｄ５Ｘｂ、１５Ｄ６Ｘの踏板部の踏面が高くなっていたり、低くなっていたり、傾斜していたりすることに気付いてしまうおそれを抑制する輪郭を有する。
【００４０】
図３に示す例では、基台部１１が、上り階段部１１Ｕと、踊り場部１１Ｌと、下り階段部１１Ｄとを備えているが、他の例では、基台部１１が、上り階段部１１Ｕのみを備えてもよく、下り階段部１１Ｄのみを備えていてもよい。
図１に示す例では、階段昇降体験装置１が、上り階段部１１Ｕに、６個の踏板部１３Ｕ１〜１３Ｕ４、踏板ユニット１５Ｕ５の踏板部１５３Ｕ５、および、踏板ユニット１５Ｕ６の踏板部１５３Ｕ６を備えているが、他の例では、階段昇降体験装置１が、上り階段部１１Ｕに、６個以外の任意の個数の踏板部を備えていてもよい。
図１に示す例では、階段昇降体験装置１が、下り階段部１１Ｄに、６個の踏板部１３Ｄ１〜１３Ｄ４、踏板ユニット１５Ｄ５の踏板部１５３Ｄ５、および、踏板ユニット１５Ｄ６の踏板部１５３Ｄ６を備えているが、他の例では、階段昇降体験装置１が、下り階段部１１Ｄに、６個以外の任意の個数の踏板部を備えていてもよい。
上述した例では、踏板ユニット１５Ｕ５を交換用踏板ユニット１５Ｕ５Ｘに交換し、踏板ユニット１５Ｕ６を交換用踏板ユニット１５Ｕ６Ｘに交換することによって、踏面の高さが高くなるが、他の例では、踏板ユニットを交換用踏板ユニットに交換することによって、踏面の高さを低くしてもよい。
上述した例では、踏板ユニット１５Ｄ５または踏板ユニット１５Ｄ６を交換用踏板ユニット１５Ｄ５Ｘａまたは１５Ｄ６Ｘに交換することによって、踏面の高さが低くなるが、他の例では、踏板ユニットを交換用踏板ユニットに交換することによって、踏面の高さを高くしてもよい。
上述した例では、踏板ユニット１５Ｕ５、１５Ｕ６、１５Ｄ５、１５Ｄ６のすべてを交換するが、他の例では、踏板ユニット１５Ｕ５、１５Ｕ６、１５Ｄ５、１５Ｄ６の一部のみを交換してもよい。
図１に示す例では、階段昇降体験装置１が、上り階段部１１Ｕに、２個の交換用踏板ユニット１５Ｕ５Ｘ、１５Ｕ６Ｘを備え、下り階段部１１Ｄに、３個の交換用踏板ユニット１５Ｄ５Ｘａ、１５Ｄ５Ｘｂ、１５Ｄ６Ｘを備えているが、他の例では、階段昇降体験装置１が、上り階段部１１Ｕに、３個以上の交換用踏板ユニットを備え、下り階段部１１Ｄに、４個以上の交換用踏板ユニットを備えていてもよい。
図１に示す例では、階段昇降体験装置１が、上り階段部１１Ｕに、２個の交換用踏板ユニット１５Ｕ５Ｘ、１５Ｕ６Ｘを備え、下り階段部１１Ｄに、３個の交換用踏板ユニット１５Ｄ５Ｘａ、１５Ｄ５Ｘｂ、１５Ｄ６Ｘを備えているが、他の例では、階段昇降体験装置１が、上り階段部１１Ｕに、１個の交換用踏板ユニット１５Ｕ６Ｘのみを備え、下り階段部１１Ｄに、１個の交換用踏板ユニット１５Ｄ６Ｘのみを備えていてもよい。
【００４１】
以上、本発明を実施するための形態について実施形態を用いて説明したが、本発明はこうした実施形態に何等限定されるものではなく、本発明の要旨を逸脱しない範囲内において種々の変形及び置換を加えることができる。
【符号の説明】
【００４２】
１…階段昇降体験装置、１１…基台部、１３Ｕ１…踏板部、１３ａＵ１…踏面、１３Ｕ２…踏板部、１３ａＵ２…踏面、１３Ｕ３…踏板部、１３ａＵ３…踏面、１３Ｕ４…踏板部、１３ａＵ４…踏面、１５Ｕ５…踏板ユニット、１５３Ｕ５…踏板部、１５３ａＵ５…踏面、１５Ｕ５Ｘ…交換用踏板ユニット、１５Ｕ６…踏板ユニット、１５３Ｕ６…踏板部、１５３ａＵ６…踏面、１５Ｕ６Ｘ…交換用踏板ユニット、１３Ｄ１…踏板部、１３ａＤ１…踏面、１３Ｄ２…踏板部、１３ａＤ２…踏面、１３Ｄ３…踏板部、１３ａＤ３…踏面、１３Ｄ４…踏板部、１３ａＤ４…踏面、１５Ｄ５…踏板ユニット、１５３Ｄ５…踏板部、１５３ａＤ５…踏面、１５Ｄ５Ｘａ…交換用踏板ユニット、１５Ｄ５Ｘｂ…交換用踏板ユニット、１５Ｄ６…踏板ユニット、１５３Ｄ６…踏板部、１５３ａＤ６…踏面、１５Ｕ６Ｘ…交換用踏板ユニット
【図１】
2018188847.tif 000003
【図２】
2018188847.tif 000004
【図３】
2018188847.tif 000005
【図４】
2018188847.tif 000006
【図５】
2018188847.tif 000007
【図６】
2018188847.tif 000008
【図７】
2018188847.tif 000009
【図８】
2018188847.tif 000010